(57)【要約】【課題】トラクタに粉粒体吐出機を連結した場合にトラクタの動力伝達軸が逆転時に粉粒体吐出機を作動させるおそれがない直播機を提供すること。【解決手段】エンジン２０を搭載した走行車体２の後部に複数条分の種子を圃場に播くための直播装置をを走行車体に対して昇降自在に且つ着脱自在に設け、エンジン動力を走行車体２側から直播装置８２の繰出回転体８８，８８’に伝達する動力伝動系を設け、該動力伝動系内において車体２側と直播装置８２側に各々一方向クラッチを設けた直播機である。  こうして、車体２に連結する直播装置８２などの作業装置へエンジン動力を伝動する動力伝動系において、走行車体２側に着脱しない一方向クラッチを設けることにより、作業装置の着脱により異なる作業装置を装着しても該作業装置が逆転作動しないようにできる。【選択図】図１
2010136629.tif 000002
【特許請求の範囲】
【請求項１】
エンジン（２０）を搭載した走行車体（２）の後部に複数条分の種子を圃場に播くための直播装置（８２）を走行車体（２）に対して昇降自在に且つ着脱自在に設け、
エンジン（２０）からの動力を走行車体（２）側から直播装置（８２）の繰出回転体（８８，８８’）に伝達する動力伝動系を設け、
該動力伝動系内において走行車体（２）側と直播装置（８２）側に各々一方向クラッチを設けたことを特徴とする直播機。
【発明の詳細な説明】
【技術分野】
【０００１】
この発明は、施肥装置、播種装置あるいは薬剤散布装置等の粉粒体吐出機を備えた直播機に関する。
【背景技術】
【０００２】
従来、走行車体の座席より後側に複数の粉粒体繰出部を機体左右方向に並べて設けると共に、粉粒体繰出部の上方に粉粒体を貯留するタンクを設け、粉粒体繰出部から送り出される粉粒体を送風器からの送風により送り出して圃場に連続的に吐出する粉粒体吐出機を備え、圃場面を滑る複数のフロートで前記粉粒体繰出部を支持しながら機体左右方向に配置した直播機が知られている。
【０００３】
上記直播機は、トラクタ本体に苗植付部を装着した田植機の苗植付部を取り外して、該苗植付部に粉粒体吐出機を装着して使用するものであり、粉粒体吐出機は田植機におけるトラクタ本体のエンジン動力を変速装置を介して作動される。従って直播機の動力伝達系は苗植付部作動用の田植機の動力伝達系と同一である。  
田植機の苗植付部はトラクタ本体のエンジン動力を変速装置から植付クラッチを経由して動力伝達される（特許文献１）。
【特許文献１】特開２００７−３２５５２８号公報
【発明の開示】
【発明が解決しようとする課題】
【０００４】
上記特許文献１に記載の苗植付部は、トラクタ本体のエンジン動力が植付クラッチを経由して作動するが、該植付クラッチは図示されていないがワンウエイクラッチであり、トラクタ本体の正転と逆転が自在の動力伝達軸から、該動力伝達軸が正転時に苗植付部が作動し、逆転時にはクラッチ爪が外れる一方向クラッチである。
【０００５】
この苗植付部を構成するワンウエイクラッチが逆転時にクラッチ爪が摩擦で完全に外れないことがある。苗植付部は粉粒体吐出機に比較して作動時の負荷が大きな装置であるので、上記摩擦力に打ち勝つので、動力伝達軸が逆転時に苗植付部を作動させるおそれはないが、粉粒体吐出機はその作動負荷が比較的小さいため作動してしまうことがある。  
そこで本発明の課題はトラクタに粉粒体吐出機を連結した場合にトラクタの動力伝達軸が逆転時に粉粒体吐出機を作動させるおそれがない直播機を提供することである。
【課題を解決するための手段】
【０００６】
本発明の上記課題は、次の解決手段で解決される。  
すなわち、エンジン（２０）を搭載した走行車体（２）の後部に複数条分の種子を圃場に播くための直播装置（８２）を走行車体（２）に対して昇降自在に且つ着脱自在に設け、エンジン（２０）からの動力を走行車体（２）側から直播装置（８２）の繰出回転体（８８，８８’）に伝達する動力伝動系を設け、該動力伝動系内において走行車体（２）側と直播装置（８２）側に各々一方向クラッチを設けた直播機である。
【発明の効果】
【０００７】
本発明によれば、走行車体（２）の後部に連結する直播装置（８２）などの作業装置へエンジン動力を伝動する動力伝動系において、走行車体（２）側に着脱しない一方向クラッチを設けることにより、作業装置の着脱により異なる作業装置を装着しても該作業装置が逆転作動しないようにできる。この走行車体（２）側に設けた一方向クラッチは、例えば苗植付装置（５２）等の駆動抵抗の大きい（例えばトルクで０．１ｋｇ・ｍ程度）各種の作業装置を想定しているから、逆転防止の構造は簡単にでき、コストダウンが図れると共に、装着する作業装置の種類に拘らず兼用できる。
【０００８】
しかしながら、繰出回転体（８８，８８’）を回転させて駆動する直播装置（８２）は、その駆動抵抗が比較的小さいので、前述した走行車体（２）側に設けた一方向クラッチだけで繰出回転体（８８，８８’）の逆転を防ごうとしても、小さな負荷で逆転することがある。
【０００９】
しかし本発明のように、直播装置（８２）側に一方向クラッチを設け、逆転時に該直播装置（８２）側の一方向クラッチの面圧で発生する逆回転方向の駆動トルクを直播装置（８２）の駆動抵抗に相当するトルクより小さく（例えばトルクで０．０００１ｋｇ・ｍ以下）すれば、直播装置（８２）が逆転しようとしても確実に逆転しないようにできる。この直播装置（８２）側の一方向クラッチは、高精度で高価となるが、直播装置（８２）側にのみ設けることができるため、直播装置（８２）以外の作業装置を装着する場合は不要となり、コストダウンが図れる。
【発明を実施するための最良の形態】
【００１０】
この発明の実施の一形態を図面に基づき説明する。  
本実施例の直播機は乗用４輪駆動走行形態の直播機であり、図１は、施肥装置付きの乗用型の直播機の左側面図を示すものであり、この乗用型の直播機は、走行車体２の後側に昇降リンク装置３を介して直播装置８２が昇降可能に装着され、走行車体２の後部上側に施肥装置５の本体部分が設けられている。図２には直播装置８２に代えて苗植付部４を昇降リンク装置３を介して走行車体２の後部に取り付けた直播機全体の側面図を示し、図３には直播装置８２の機体取付部の拡大側面図を示す。  
なお、本明細書では、直播機の前進方向に向って左右方向をそれぞれ左、右とし、前進方向を前、後進方向を後とする。
【００１１】
走行車体２は、駆動輪である各左右一対の前輪１０，１０及び後輪１１，１１を備えた四輪駆動車両であって、機体の前部にミッションケース１２が配置され、そのミッションケース１２の左右側方に前輪ファイナルケース（図示せず）が設けられ、該前輪ファイナルケースの操向方向を変えることができる前輪支持部から外向きに突出する前輪車軸に前輪１０，１０が取り付けられている。また、ミッションケース１２の背面部にメインフレーム１５の前端部が固着されており、そのメインフレーム１５の後端左右中央部に前後水平に設けた後輪ローリング軸（図示せず）を支点にして後輪ギヤケース１８，１８がローリング自在に支持され、その後輪ギヤケース１８，１８から外向きに突出する後輪車軸に後輪１１，１１が取り付けられている。
【００１２】
原動機となるエンジン２０はメインフレーム１５の上に搭載されており、該エンジン２０の回転動力が第一ベルト伝動装置２１などを介して静油圧式変速装置（ＨＳＴ）とミッションケース１２内のミッションに伝達される。ミッションケース１２内のミッションに伝達された回転動力は、変速された後、走行動力と外部取出動力に分離して取り出される。そして、走行動力は、一部が前輪ファイナルケース（図示せず）に伝達されて前輪１０，１０を駆動すると共に、残りが後輪ギヤケース１８，１８に伝達されて後輪１１，１１を駆動する。また、外部取出動力は、カウンタ軸２６を介して走行車体２の後部に設けた植付クラッチケース２５に伝達され、図示しない施肥伝動機構によって施肥装置５へ伝動される。
【００１３】
また、植付クラッチケース２５内の植付クラッチからドライブシャフト２８を介してエンジン動力が直播装置８２の伝動ケース２９内の直播用クラッチに伝達される。そして、これら苗植付クラッチと直播クラッチは共に一方向クラッチとしている。
【００１４】
走行車体２の後部に連結する直播装置８２などの作業装置へエンジン動力を伝動する動力伝動系において、着脱しない走行車体２側に一方向クラッチを設けることにより、作業装置の着脱により異なる作業装置を装着しても該作業装置が逆転作動しないようにできる。この走行車体２側に設けた一方向クラッチは、例えば苗植付装置５２等の駆動抵抗の大きい（例えばトルクで０．１ｋｇ・ｍ程度）各種の作業装置を想定しているから、逆転防止の構造は簡単にでき、コストダウンが図れると共に、装着する作業装置の種類に拘らず兼用できる。
【００１５】
しかしながら、繰出回転体８８，８８’を回転させて駆動する直播装置８２は、その駆動抵抗が比較的小さいので、前述した走行車体２側に設けた一方向クラッチだけで繰出回転体８８，８８’（図４，図５）の逆転を防ごうとしても、小さな負荷で逆転することがある。しかし本発明のように、直播装置８２側に一方向クラッチを設け、逆転時に該直播装置８２側の一方向クラッチの面圧で発生する逆回転方向の駆動トルクを直播装置８２の駆動抵抗に相当するトルクより小さく（例えばトルクで０．０００１ｋｇ・ｍ以下）すれば、直播装置８２が逆転しようとしても確実に逆転しないようにできる。この直播装置８２側の一方向クラッチは、高精度で高価となるが、直播装置８２側にのみ設けることができるため、直播装置８２以外の作業装置を装着する場合は不要となり、コストダウンが図れる。
【００１６】
植付クラッチは、駆動側クラッチ体と従動側クラッチ体のクラッチ爪に傾斜面を備え、該傾斜面を滑らせて逆転伝動をさせない形態のクラッチである。直播用クラッチは、外周部に複数の伝動用ローラを備えるローラ型クラッチであり、一般的に市販されているものである。
【００１７】
エンジン２０の上部はエンジンカバー３０で覆われており、その上に座席３１が設置されている。座席３１の前方には各種操作機構を内蔵するボンネット３２があり、その上方に前輪１０，１０を操向操作するハンドル３４が設けられている。エンジンカバー３０及びボンネット３２の下端左右両側は水平状のフロアステップ３５になっている。
【００１８】
昇降リンク装置３は平行リンク構成であって、１本の上リンク４０と左右一対の下リンク４１，４１を備えている。これらリンク４０，４１，４１は、その基部側がメインフレーム１５の後端部に立設した背面視門形のリンクベースフレーム４２に回動自在に取り付けられ、その先端側に縦リンク４３が連結されている。そして、メインフレーム１５に固着した支持部材（図示せず）と上リンク４０に一体形成したスイングアーム４５の先端部との間に昇降油圧シリンダ４６が設けられており、該シリンダ４６を油圧で伸縮させることにより、上リンク４０が上下に回動し、直播装置８２がほぼ一定姿勢のまま昇降する。
【００１９】
直播装置８２の下部には複数のフロート５５が設けられている。フロート５５を圃場の泥面に接地させた状態で機体を進行させると、フロート５５が泥面を整地しつつ滑走し、その整地跡に直播装置８２，…により種子が播かれる。各フロート５５は圃場表土面の凹凸に応じて前端側が上下動するように回動自在に取り付けられており、直播作業時にはフロート５５の前部の上下動が図示しない上下動検出機構により検出され、その検出結果に応じ前記昇降油圧シリンダ４６を制御する油圧バルブを切り替えて直播装置８２を昇降させることにより、種子の播種深さを常に一定に維持する。
【００２０】
施肥装置５は、肥料貯留タンク（粉粒体貯留タンク）６０に貯留されている肥料（粉粒体）を走行車体２の左右方向に複数設けられた肥料繰出部（粉粒体繰出部）６１，…によって一定量づつ繰り出し、その肥料を図示しない施肥ホース（粉粒体移送ホース）…でフロート５５の左右両側に取り付けた施肥ガイド（図示せず），…まで導き、施肥ガイド，…の前側に設けた播種用作溝器６４，…によって播種条の側部近傍に形成される施肥溝内に吐出するようになっている。図示していないがモータで駆動されるブロアで発生させた圧力風を左右方向に長いエアチャンバを経由して施肥ホース内に吹き込み、施肥ホース内の肥料を植付部側の肥料吐出口へ強制的に移送するようになっている。
【００２１】
また、フロート５５の前側には整地用の整地ロータ２７ａ，２７ｂを設けている。  
図３に示すように、整地ロータ２７ａ，２７ｂは、縦リンク４３に着脱自在に取り付け可能な着脱ヒッチ６５に設けられるロータ昇降リンク６６に支持されている。ロータ昇降リンク６６は、着脱ヒッチ６５の基部側面に取り付けた機体横方向に伸びるロータフレーム７６に「く」字状部材６７の中央部を回転自在に取り付け、該「く」字状部材６７の上端部には上リンク６８の一端を回動自在に接続し、「く」字状部材６７の下端部には下リンク６９の一端を回動自在に接続している。また上リンク６８の中央部にはロータ昇降レバー８１側のアーム７０に連結するロッド７１が接続され、また下リンク６９の他端は鉛直方向を向いたロータ支持フレーム７３の中間部に回動自在に連結している。  
ロータ支持フレーム７３の上端には短いアーム７４の一端が回動自在に連結し、該短いアーム７４の他端が上リンク６８の一端に回動自在に連結している。
【００２２】
ロータ支持フレーム７３の下端には整地ロータ２７ａの駆動軸（図示せず）が取り付けられ、該駆動軸は後輪伝動ケース１８からの動力が伝動軸７８（図１）を経由して伝達される。また、機体横幅のセンタにあるフロート５５の前方に配置されるロータ２７ｂは機体両サイドにあるフロート５５の前方にあるロータ２７ａより前方に配置され、伝動部材を収納した伝動ケース５６を介してロータ２７ｂの駆動系に連結している。
【００２３】
上記構成からなる整地ロータ昇降機構では、ロータ昇降レバー８１を引っ張ると、上リンク６８と下リンク６９の各一端が、「く」字状部材６７の回動中心軸であるロータフレーム７６を中心に上動し、ロータ支持フレーム７３と共に整地ロータ２７ａ，２７ｂが上昇する。
【００２４】
整地ロータ２７ａ，２７ｂの上下位置の調整はロータ昇降レバー８１により上下動させることができる。なお、ローリング軸９６に設けられる水平センサ８１ａは整地ロータ２７ａ，２７ｂ及び直播装置８２の左右傾斜角度を検出するもので、別途設けたローリング用モータ（図示せず）により整地ロータ２７ａ，２７ｂ及び直播装置８２が左右ローリングする。
【００２５】
直播装置８２は、上部の種子タンク８５から種子を繰り出す種子繰出部８７、該種子繰出部８７から繰出案内される種子を下方へ空気搬送により放出する放出筒９０と播種口９１等からなり、左右方向に延びるフレーム８３により支持されている。  
種子は、ブロア８６から放出筒９０に供給される空気により圃場に植え付けられる。  
本実施例の直播装置８２を用いると、ブロア８６から供給される空気が播種口９１内で上方から下方に向けて鉛直方向を向き、しかも種子の播種深度を確保するための空気流で種子の流下速度を加速させた状態で土中に種子を打ち込むことができる。
【００２６】
直播装置８２の下方には、播種フレーム３３（図１、図８参照）の下方に吊持され、土壌面に接地して滑走するフロート５５を配置しており、また、フロート５５の両側には一対の播種用作溝器６４と該播種用作溝器６４でできた圃場の溝を埋める一対の覆土板５９が設けられているので、圃場の溝内に打ち込まれた種子の上を覆土板５９により土で覆うことができる。  
直播装置８２は図３に示すローリング軸９６により圃場面に合わせて機体左右方向にローリングできる。
【００２７】
本実施例の種子繰出部８７の繰出ロール８８には図４（ａ）の斜視図に示すように繰出ロール８８の回転軸に平行する方向に伸びた溝８８ａを繰出ロール外周の円周方向に均等に４個設けることで繰出ロール８８の一回転で４回の種子の点播ができる。  
またこの繰出ロール８８に図４（ｂ）の平面図と、図４（ｂ）のＡ−Ａ線断面図であるＣ（ｃ）と、図４（ｂ）の矢印Ｂ方向から見た図である図４（ｄ）に示すように外周に均等に４カ所に切り込み８８ｂを設け、該切り込み８８ｂの一部に入り込む筒体８９を繰出ロール８８に蓋をするように差し込むことで円筒体が得られ、溝８８ａの損傷を防止する。
【００２８】
また図５（ａ）に示す平面図と図５（ｂ）に示す図５（ａ）のＡ−Ａ線断面図に示すように、繰出ロール８８’の回転軸に平行する方向に伸びた溝８８’ａを繰出ロール外周の円周方向に均等に８個設けることで繰出ロール８８’の一回転で８回の種子の直播ができ、条播ができる。  
またこの繰出ロール８８’に図５（ｂ）と図５（ａ）の矢印Ｂ方向から見た図である図５（ｃ）に示すように、繰出ロール８８’の外周に均等に８カ所に切り込み８８’ｂを設け、該切り込み８８’ｂに入り込む図４（ｂ）に示す筒体８９’を差し込むことで円筒体が得られ、溝８８’ａの損傷を防止する。８カ所の溝８８’ａを繰出ロール８８’の外周部に設けた場合は、点播というより条播に近い播種ができる。
【００２９】
また図６の一部縦断面図に示す放出筒９０とその上方に繰出ロール８８を配置する構成により、播種態様を点播と条播に近い点播に簡単に切り替えることができる。すなわち図６で示す放出筒９０内の中央に設けた流路を二分する壁面９４の頂部に回動自在のシャッタ９３を放出筒中央下部に固定した仕切壁９４の頂部に取り付け、該シャッタ９３を切り替えて図６に示す繰出ロール８８の溝８８ａが少ない部分に種子を落下させることで点播とし、繰出ロール８８の溝８８ａが多い部分に種子を落下させることで条播に近い点播とすることができる。
【００３０】
また図７の一部縦断面図に示す別実施例の放出筒９０とその上方に繰出ロール８８を配置する構成を採用することにより、エアーで繰出ロール溝８８ａの清掃と表土の泥水を除去できる。  
すなわち放出筒９０の上方に配置した繰出ロール８８に隣接してエアー流路９２を設け、該エアー流路９２の一部壁面に穴９２ａを設け、該穴９２ａには繰出ロール８８の外表面がエアー通路側に露出するような構成にしてあるので、エアー流路９２にエアーを流すと、ロール溝８８ａ内の清掃ができ。また圃場面にある泥水をエアーで吹き飛ばすことができる。
【００３１】
また、直播装置８２から種子を圃場に播く場合、従来は例えばカルパー材をコーティングする等、予め種子のコーティングが行われていたが、このコーティングには時間や手間がかかり、又はせっかくのコーティングが衝撃等により剥がれる事があった。  
そこで粘性の高い泡材を用いて、播種の前に種子を泡材でコーティングしておき、これを直播装置８２を用いて圃場に播くことで、圃場に播かれた種子の周りに泡材を介して土がコーティングされた状態となり、予備的なコーティングを行う手間とコストを省いて簡単に種子を圃場に播くことができる。
【００３２】
直播装置８２には図８に示す溝切り装置９５を取り付けることができる。  
溝切り装置９５は図８（ａ）の側面図、図８（ｂ）の平面図及び図８（ｃ）の前端部の斜視図に示す構成を有している。  
すなわち、溝切り装置９５は伝動ケース２９（図１参照）に支持された横幅方向に伸びる播種フレーム３３に端部を支持固定された基盤９７上にロッド９８の一端を回動可能に取り付け、該ロッド９８の他端部側に底面側が鋭角状になった溝切り板９９を固定して取り付けた構成である。
【００３３】
該溝切り板９９は図８（ｃ）に示すように縦断面がＭ字状に折れ曲がった板であり、中央部底面側が鋭角状になっている。またＭ字状の溝切り板９９の上面側の両方の傾斜面に端部がそれぞれ支持された板材１００が配置され、該板材１００の下面にロッド９８の先端部が固定されている。
【００３４】
基盤９７に一端が回動自在に取り付けられ、他端がロッド９８の中間部の下面に設けたピン９８ａに係止された第１のアーム１０３を設ける。また、板材１００の上面に端部が固定された一対のＬ字状折れ曲がりロッド１０１を設け、該一対のロッド１０１の先端部同士に第２のアーム１０２を掛け渡している。溝切り板９９が図８（ａ）の一点鎖線位置（上方に溝切り装置９５を上げた位置）にある時、第２のアーム１０２を直播装置８２の適宜の部材に係止させておくと、溝切り装置９５を上げたまま保持できる。このとき、第１のアーム１０３の先端にはＬ字状の孔１０３ａが設けられており、該孔１０３ａ内を摺動するようにピン９８ａがロッド９８に取り付けられているので、図８（ａ）の溝切り板９９を圃場面に下げた状態（実線）のピン９８ａの位置と溝きり板９９を圃場面から上昇させた状態（破線）のピン９８ａの位置が第１アーム１０３の先端のＬ字状孔１０３ａのそれぞれ反対側の先端部に移動することでロッド９８をそれぞれの位置で保持できる。
【００３５】
また、図２に示すように苗植付部４を支持枠体６２に支持させて装着することができる。苗植付部４を設ける場合には直播装置８２は取り外す。上記直播装置８２の着脱ヒッチ６５を縦リンク４３から外して、図２に示す田植用の苗植付部４を取り付けると直播機は田植機として利用出来る。  
図２に示す本実施例の苗植付部４は６条植の構成で、フレームを兼ねる伝動ケース５０などを備えている。また、苗載台５１の図示しない苗取出口、…に供給された苗を圃場に植付ける苗植付具５３を有する苗植付装置５２、…、次行程における機体進路を表土面に線引きする左右一対の線引きマーカ（図示せず）等を備えている。
【００３６】
苗植付部４の下部の中央部と左右両側にはフロート５５が設けられることになるが、これらフロート５５を圃場の泥面に接地させた状態で機体を進行させると、フロート５５が泥面を整地しつつ滑走し、その整地跡に苗植付装置５２、…により苗が植付けられる。各フロート５５は圃場表土面の凹凸に応じて前端側が上下動するように回動自在に取り付けられており、植付作業時には中央のフロート５５の前部の上下動が迎い角センサ（図示せず）により検出され、その検出結果に応じ前記昇降油圧シリンダ４６を制御する油圧バルブを切り替えて苗植付部４を昇降させることにより、苗の植付深さを常に一定に維持する。
【産業上の利用可能性】
【００３７】
本発明は田植機をはじめとして各種の施肥用、直播用又は薬剤散布用の粉粒体の吐出機である直播装置を備えた作業機として利用可能性が高い。
【図面の簡単な説明】
【００３８】
【図１】本発明の一実施例の直播機の側面図である。
【図２】図１の直播機の直播装置を田植装置に代替した場合の側面図である。
【図３】図１の直播機の直播装置部分の機体への取付部の側面図である。
【図４】図１の直播機の種子繰出部の繰出ロールの斜視図（図４（ａ））、平面図（図４（ｂ））、図４（ｂ）のＡ−Ａ線断面（図４（ｃ））、図４（ｂ）の矢印Ｂ方向から見た図（図４（ｄ））である。
【図５】図１の直播機の種子繰出部の繰出ロールの平面図（図５（ａ））、図５（ａ）のＡ−Ａ線断面（図５（ｂ））、図５（ａ）の矢印Ｂ方向から見た図（図５（ｃ））である。
【図６】図１の直播機の放出筒とその上方に繰出ロールを配置する構成を示す一部縦断面図である。
【図７】図１の直播機の放出筒とその上方に繰出ロールを配置する構成を示す一部縦断面図である。
【図８】図１の直播機の直播装置の溝切り装置の側面図（図８（ａ））と平面図（図８（ｂ））及び溝切り装置前端部の斜視図（図８（ｃ））である。
【符号の説明】
【００３９】
２  走行車体              ３  昇降リンク装置
４  苗植付部              ５  施肥装置
１０  前輪                １１  後輪
１２  ミッションケース    １５  メインフレーム
１８  後輪ギヤケース      ２０  エンジン
２１  第一ベルト伝動装置  ２５  植付クラッチケース
２６  カウンタ軸          ２７ａ，２７ｂ  整地ロータ
２８  ドライブシャフト    ２９  伝動ケース
３０  エンジンカバー      ３１  座席
３２  ボンネット          ３３  フレーム
３４  ハンドル            ３５  フロアステップ
４０  上リンク            ４１  下リンク
４２  リンクベースフレーム
４３  縦リンク            ４５  スイングアーム
４６  昇降油圧シリンダ    ５０  伝動ケース
５１  苗載台              ５２  苗植付装置
５３  苗植付具            ５５  フロート
５６  伝動ケース          ５９  覆土板
６０  肥料貯留タンク      ６１  肥料繰出部
６２  支持枠体            ６４  播種用作溝器
６５  着脱ヒッチ          ６６  ロータ昇降リンク
６７  「く」字状部材      ６８  上リンク
６９  下リンク            ７０  アーム
７１  ロッド              ７３  ロータ支持フレーム
７４  短いアーム          ７６  ロータフレーム
７８  伝動軸              ８１  ロータ昇降レバー
８１ａ  水平センサ        ８２  直播装置
８３  フレーム            ８５  種子タンク
８６  ブロア              ８７  種子繰出部
８８，８８’  繰出ロール
８８ａ，８８’ａ  繰出ロール溝
８８ｂ，８８’ｂ  切り込み
８９，８９’筒体          ８９  筒体
９０  放出筒              ９１  播種口
９２  エアー流路          ９２ａ  穴
９３  シャッタ            ９４  仕切壁
９５  溝切り装置          ９６  ローリング軸
９７  基盤                ９８  ロッド
９８ａ  ピン              ９９  溝切り板
１００  板材              １０１  折れ曲がりロッド
１０２  第２のアーム      １０３  第１のアーム
１０３ａ  Ｌ字状の孔
【図１】
2010136629.tif 000003
【図２】
2010136629.tif 000004
【図３】
2010136629.tif 000005
【図４】
2010136629.tif 000006
【図５】
2010136629.tif 000007
【図６】
2010136629.tif 000008
【図７】
2010136629.tif 000009
【図８】
2010136629.tif 000010